(57)【要約】      （修正有）【課題】フリーフォール中、不活性となる危険のない誘導パラシュート装置を提供する。【解決手段】本発明に係る誘導パラシュート装置１は、パラシュートキャノピーの展開を助けるのに適し、ハーネスコンテナ５の中へ折りたたみ可能な可膨張性誘導パラシュート９と、上記ハーネスコンテナ５が開いたときに上記ハーネスコンテナ５から上記可膨張性誘導パラシュート９を押し出すのに適した跳躍手段とを備え、上記跳躍手段が、上記可膨張性誘導パラシュート９と上記パラシュートキャノピーとの間で、上記可膨張性誘導パラシュート９から離れて配置されている。【選択図】図２
2012025383.tif 000002
【特許請求の範囲】
【請求項１】
開閉に適してその中でパラシュートキャノピーが折りたたみ可能なコンテナからパラシュートキャノピーを展開するための、パラシュートキャノピーに接続された誘導パラシュート装置であって、
−  上記パラシュートキャノピーの展開を助けるのに適した可膨張性誘導パラシュートであり、上記コンテナの中へ折りたたみ可能な可膨張性誘導パラシュートと、
−  上記コンテナが開いたときに上記コンテナから上記可膨張性誘導パラシュートを押し出すのに適した跳躍手段とを備え、
上記跳躍手段が、上記可膨張性誘導パラシュートと上記パラシュートキャノピーとの間で、上記可膨張性誘導パラシュートから離れて配置されていることを特徴とする誘導パラシュート装置。
【請求項２】
上記可膨張性誘導パラシュートが、上記跳躍手段を通る拘束手段によって、上記パラシュートキャノピーに、取り外し可能なように接続されていることを特徴とする請求項１に記載の誘導パラシュート装置。
【請求項３】
上記跳躍手段が、
圧力をかけられるのとかけられないのとに適したバネと、
上記バネと共に変形するように、中に上記バネが配置された柔軟性鞘とを備えていることを特徴とする請求項１に記載の誘導パラシュート装置。
【請求項４】
上記柔軟性鞘が、中に上記可膨張性誘導パラシュートが折りたたみ可能なハウジングを備えていることを特徴とする請求項３に記載の誘導パラシュート装置。
【請求項５】
上記バネが、所定方向に沿った圧縮・拡張に適した圧縮バネであり、
上記ハウジングが、柔軟であり、上記所定方向に沿った上記圧縮バネの端部で、上記圧縮バネ内に配置されていることを特徴とする請求項４に記載の誘導パラシュート装置。
【請求項６】
上記柔軟性鞘が、
所定方向に沿って上記バネによって変形し、
上記所定方向に沿って、第１端部と第２端部とを有し、
また、上記柔軟性鞘が、
上記第１端部に設けられ、上記バネが固定されるベースプレートと、
上記第２端部に設けられ、上記柔軟性鞘内で伸びて、その中で上記可膨張性誘導パラシュートが折りたたみ可能な、ハウジングとを有することを特徴とする請求項３に記載の誘導パラシュート装置。
【請求項７】
上記バネが、圧力がかかった状態で曲げることができ、
上記バネが、上記柔軟性鞘内に、
外向きに開口した空間であって、中に上記可膨張性誘導パラシュートが折りたたまれる上記ハウジングを受けるのに適した空間を確保していることを特徴とする請求項４に記載の誘導パラシュート装置。
【請求項８】
上記バネが、圧力がかかった状態で曲げることができ、
上記バネが、上記柔軟性鞘内に、
外向きに開口した空間であって、中に上記可膨張性誘導パラシュートが折りたたまれる上記ハウジングを受けるのに適した空間を確保していることを特徴とする請求項６に記載の誘導パラシュート装置。
【請求項９】
上記跳躍手段が、圧力をかけられるのとかけられないのとに適したバネと、上記バネと共に変形するように、中に上記バネが配置された柔軟性鞘とを備え、
上記拘束手段が、上記バネと上記柔軟性鞘とを通る第１拘束部を備えていることを特徴とする請求項２に記載の誘導パラシュート装置。
【請求項１０】
上記第１拘束部が、第１端部と第２端部とを有し、上記第１拘束部が、上記第１端部と第２端部との両方にループをそれぞれ有し、このループは、上記可膨張性誘導パラシュートに接続された第２拘束部と、上記パラシュートキャノピーに接続された第３拘束部とを接続するためのものであることを特徴とする請求項９に記載の誘導パラシュート装置。
【請求項１１】
上記第１拘束部が、第１端部と第２端部とを有し、上記第１拘束部が、上記第１端部と第２端部との両方にループをそれぞれ有し、このループは、上記可膨張性誘導パラシュートに接続された第２拘束部と、上記パラシュートキャノピーに接続された第３拘束部とを接続するためのものであり、
上記第１端部の上記ループは上記ハウジング内に位置し、上記第２端部の上記ループは上記柔軟性鞘の外に位置していることを特徴とする請求項４に記載の誘導パラシュート装置。
【請求項１２】
上記可膨張性誘導パラシュートが、拘束部によって上記跳躍手段に接続され、
上記柔軟性鞘が、中に上記拘束部と共に上記可膨張性誘導パラシュートが折りたたみ可能なハウジングを備えていることを特徴とする請求項１に記載の誘導パラシュート装置。
【請求項１３】
上記可膨張性誘導パラシュートが、上記拘束部に、分離可能な接続部によって接続され、
上記拘束部が、０．８ｍないし２．５ｍに含まれる長さであることを特徴とする請求項１１に記載の誘導パラシュート装置。
【請求項１４】
上記跳躍手段が、圧縮・拡張に適し、
上記跳躍手段が、一端で上記コンテナに接続されるとともに、上記跳躍手段と、上記可膨張性誘導パラシュートと、上記コンテナを開閉するのに適した垂れ蓋に設けられたグロメットとを通るロックループによって、上記コンテナ内に圧縮され、
上記ロックループが、パラシュート降下者によって操作されるのに適した開き綱ハンドルに接続されたロック手段によって上記垂れ蓋を閉じるために、解放可能にロックされることを特徴とする請求項１に記載の誘導パラシュート装置。
【請求項１５】
パラシュートキャノピーの展開を助けるためにパラシュートキャノピーに誘導パラシュート装置を接続する接続手段と、
可膨張性誘導パラシュートと、
圧力をかけられるのとかけられないのとに適し、また、圧力をかけられた後に圧力をかけられなくなったときに、上記可膨張性誘導パラシュートから離れたところで上記可膨張性誘導パラシュートを推進するのに適したバネと、
中に上記バネが配置されて上記バネと共に変形される柔軟性鞘であって、中に上記可膨張性誘導パラシュートが折りたたみ可能であるような内部ハウジングを上記バネから離れて有する柔軟性鞘とを備えていることを特徴とする誘導パラシュート装置。
【請求項１６】
上記可膨張性誘導パラシュートが、上記柔軟性鞘を通る第１拘束部の一端に、第２拘束部によって接続され、
上記第２拘束部が、０．８ｍないし２．５ｍに含まれる長さであることを特徴とする請求項１に記載の誘導パラシュート装置。
【請求項１７】
上記可膨張性誘導パラシュートが、上記柔軟性鞘を通る第１拘束部の一端に、第２拘束部によって接続され、
上記第２拘束部が、０．８ｍないし２．５ｍに含まれる長さであることを特徴とする請求項１５に記載の誘導パラシュート装置。
【請求項１８】
開閉に適してその中でパラシュートキャノピーが折りたたみ可能なコンテナからパラシュートキャノピーを展開するための、パラシュートキャノピーに接続された誘導パラシュート装置であって、
−  上記パラシュートキャノピーの展開を助けるのに適した可膨張性誘導パラシュートであり、上記コンテナの中へ折りたたみ可能な可膨張性誘導パラシュートと、
−  上記コンテナが開いたときに上記コンテナから上記可膨張性誘導パラシュートを押し出すのに適した跳躍手段と、
上記可膨張性誘導パラシュートを上記跳躍手段に接続する拘束手段とを備えていることを特徴とする誘導パラシュート装置。
【請求項１９】
上記拘束手段が拘束部を備えていることを特徴とする請求項１８に記載の誘導パラシュート装置。
【発明の詳細な説明】
【発明の詳細な説明】
【０００１】
〔技術分野〕
本発明は、誘導パラシュート装置およびいわゆる抽出装置に関する。これはパラシュート降下者の安全素子の一つである。
【０００２】
〔背景技術〕
このような装置は、開閉に適したコンテナからパラシュートキャノピーを展開するために、パラシュートキャノピーに接続され、典型的には、ハーネスコンテナである。
【０００３】
パラシュートキャノピーは、コンテナで折りたたむことができる。
【０００４】
従来、このような誘導パラシュート装置は、典型的には、以下のものを備える。
−  パラシュートキャノピーの展開を助けるのに適するように、典型的には柔らかい、可膨張性誘導パラシュートであり、この可膨張性誘導パラシュートは、折りたたむことができ、いわゆるコンテナの中へ詰め込むのに適している可膨張性誘導パラシュートと、
−  コンテナが開いたときにコンテナから上記可膨張性誘導パラシュートを押し出すのに適した、跳躍手段。
【０００５】
米国特許公報３，６９３，９１７号は、このような誘導パラシュート装置の解決策を開示している。また、米国特許公報５，７２２，６１９号は、バネがロードされる誘導パラシュートを開示している。バネは、誘導パラシュート構造内にあり、この構造は、展開されるキャノピーに、拘束部によって接続されている。
【０００６】
以下では、跳躍手段がコンテナ外で推進されると、跳躍手段の重みで気流へ誘導される慣性にリンクした欠点の考察が望まれる。
【０００７】
誘導パラシュート装置が接着される拘束部の、狭窄を含む保留の可能性も関係している。
【０００８】
さらに関係があるのは、
−  いわゆるコンテナ内で配置された（折り曲げられた）素子の配置に関する人間工学、
−  パラシュート降下者による安全素子の技術的制御、
−  いわゆるコンテナからの誘導パラシュート装置の引き抜きの自動化の可能性である。
【０００９】
上記欠点を補完するものとして、バネがロードされる従来の誘導パラシュートに存在する危険に関連し、以下のことを考察することが薦められる。パラシュート降下者が（水平な、胸が下に向いた）基準の平坦位置にいるときには、終わりのフリーフォール速度では、パラシュート降下者の背中の真上に空気の窪みが生成される。コンテナから出るときに、誘導パラシュート装置に関係する抗力は非常に小さい。このような不適切な状況は、例えば、ＡＦＦ（加速フリーフォール）ジャンプの場合には、圧力がかけられることさえある。したがって、バネがコンテナの外に向かってはねるときには、もし、バネの戻り止めによって生成される放出力が、誘導パラシュートのキャノピー部が相対的な風を受ける前に、バネの重みにより誘導される慣性を超えなければ、誘導パラシュート装置は、誘導パラシュート拘束部と共に、不明な時間だけ、パラシュート降下者の背中に落ちる。
【００１０】
誘導パラシュート装置が低圧領域からスリップや降下をしないで、非常に高い相対的な風を回復する限り、誘導パラシュート装置は不活性である。
【００１１】
結論は以下の通りである。
−  パラシュート降下者は、不適切な（おそらく危険な）フリーフォールのままである。
−  展開されるために誘導パラシュート装置が接続しているキャノピーの展開、
−  おそらく、誘導パラシュート拘束部は、誘導パラシュート装置と干渉可能であり、狭窄が起こりえ、キャノピーは展開されないままであり、これは劇的である。
【００１２】
〔発明の概要〕
以下の一般用語は以下の意味を有する。
−  「拘束手段」は、一つの基本拘束部または複数の基本拘束部で成る少なくとも一つの拘束部を意味し、本明細書では、いわゆる第１、第２および／または第３の基本拘束部などである。さらに、この拘束手段は、拘束部、ケーブル、縄、ひも、ストラップなどを含むことができる。以下で参照される第１、第２、第３拘束部が選択肢として薦められる。
−  「跳躍手段」は、伸ばされたときに元の形状に戻ろうとする任意の柔軟な装置の少なくとも一つであり、バネ、圧縮バネ、ねじれバネ、屈曲バネなどである。らせん状の圧縮バネが選択肢として薦められる。
−  「パラシュートキャノピー」は、メインキャノピーまたは予備キャノピーを意味する。
−  「ハーネスコンテナ」は、メインキャノピーまたは予備キャノピーを保持するバックパックを意味する。このコンテナは、また、パラシュート降下者に固く接着されたコンテナを保持する、厚いショルダーストラップやレッグストラップも含む。
【００１３】
上記欠点の少なくともいくつかに対する価値のある解決策を提供するという観点から、以下の誘導パラシュート装置を用いることを薦める。
−  上記パラシュートキャノピーの展開を助けるのに適し、典型的には柔らかく、折りたたみ可能で、いわゆるコンテナの中へ詰め込むのに適した上記可膨張性誘導パラシュートと、
−  上記コンテナが開いたときに上記コンテナから上記可膨張性誘導パラシュートを押し出すのに適した上記跳躍手段とを備え、
上記跳躍手段が、上記可膨張性誘導パラシュートと、展開される上記パラシュートキャノピーとの間で、上記可膨張性誘導パラシュートから離れて配置されている特徴を有する。
【００１４】
好ましくは、可膨張性誘導パラシュートは、上記跳躍手段を通る拘束手段によって、上記パラシュートキャノピーに、取り外し可能なように接続されている。
【００１５】
特に、狭窄の危険が減少する。
【００１６】
安全性や、人間工学、また、拘束手段と跳躍手段との間の機械的干渉の制限と同様に、および／またはその目的で、上記跳躍手段は、圧力をかけられるのとかけられないのとに適した（曲げることができる）バネと、上記バネと共にその柔軟性鞘が変形するように、その柔軟性鞘の中に上記バネが配置された柔軟性鞘とを備えていることが薦められる。
【００１７】
上記柔軟性鞘が、そのハウジングの中に上記可膨張性誘導パラシュートが折りたたみ可能なハウジングを備えていることが好都合である。
【００１８】
上記欠点の克服を改善するために、上記バネが、所定方向に沿った圧縮・拡張に適した圧縮バネであり、上記ハウジングが、柔軟（変形できる）であり、上記所定方向に沿った上記圧縮バネの端部で、上記圧縮バネ内に配置されていることが薦められる。
【００１９】
同様に、いわゆる柔軟性鞘内に配置された上記（曲げることができる）バネを用いるとともに、おそらくは組み合わせて、以下のものが好ましい。
−  上記柔軟性鞘が、
所定方向に沿って上記バネによって変形可能であり、
上記所定方向に沿って、第１端部と第２端部とを有し、
また、上記柔軟性鞘が、
上記第１端部に設けられ、上記バネが固定されるベースプレートと、
上記第２端部に設けられ、上記柔軟性鞘内で伸びて、その中で上記可膨張性誘導パラシュートが折りたたみ可能な、ハウジングとを有する。
−  上記バネは、圧力がかかった状態で、上記柔軟性鞘内に、外向きに（気流に向かって）開口した空間であって、そのハウジングの中に上記可膨張性誘導パラシュートが折りたたまれる上記ハウジングを受けるのに適した空間を確保している。
−  上記拘束手段が、上記バネと上記柔軟性鞘とを通る第１拘束部を備えている。そして好ましくは、上記第１拘束部が、第１端部と第２端部とを有し、上記第１拘束部が、上記第１端部と第２端部との両方にループをそれぞれ有し、このループは、柔らかい上記可膨張性誘導パラシュートに接続された第２拘束部と、上記パラシュートキャノピーに接続された第３拘束部とを接続する。
−  上記可膨張性誘導パラシュートが、上記拘束部に、分離可能な接続部によって接続され、上記拘束部が、以下に述べるように、推進される柔らかい誘導パラシュートが、相対的な風領域を推進するために露出されることを可能にするために、０．８ｍないし２．５ｍに含まれる長さである。
【００２０】
上記欠点の少なくとも一つを考察するための他のアプローチに沿えば、以下のものを備えた誘導パラシュート装置に関心が持たれる。すなわち、
パラシュートキャノピーの展開を助けるためにパラシュートキャノピーに誘導パラシュート装置を接続する接続手段と、
柔らかい可膨張性誘導パラシュートと、
圧力をかけられるのとかけられないのとに適し、また、圧力をかけられた後に圧力をかけられなくなったときに、その可膨張性誘導パラシュートから離れたところで上記柔らかい可膨張性誘導パラシュートを推進するのに適したバネと、
その柔軟性鞘の中に上記バネが配置されてその柔軟性鞘が上記バネと共に変形される柔軟性鞘であって、その内部ハウジングの中に上記可膨張性誘導パラシュートが折りたたみ可能であるような内部ハウジングを上記バネから離れて有する柔軟性鞘とを備えている、誘導パラシュート装置である。
【００２１】
上記欠点の少なくとも一つを考察するための他のアプローチに沿えば、以下のものを備えた誘導パラシュート装置に関心が持たれる。すなわち、
−  上記パラシュートキャノピーの展開を助けるのに適した可膨張性誘導パラシュートであり、上記コンテナの中へ折りたたみ可能な可膨張性誘導パラシュートと、
−  上記コンテナが開いたときに上記コンテナから上記可膨張性誘導パラシュートを押し出すのに適した跳躍手段と、
上記可膨張性誘導パラシュートを上記跳躍手段に接続する拘束手段とを備えている、誘導パラシュート装置である。
【００２２】
好ましくは、上記拘束手段が拘束部を備えている。
【００２３】
背景に関する改良を提供する価値のある解決策のさらなる特徴と利点とは、いくつかの図示された実施形態を参照する以下の記載にて明らかになるであろう。
【００２４】
特に、以下の図１８によれば、この実施形態では、
上記跳躍手段が、圧縮・拡張に適し、
上記跳躍手段が、
そのロックループの一端で上記コンテナに接続されるとともに、上記跳躍手段と、上記誘導パラシュートと、上記コンテナを開閉するのに適した垂れ蓋に設けられたグロメットとを連続的に通るロックループによって、上記コンテナ内に圧縮され、
上記ロックループが、パラシュート降下者によって操作されるのに適した開き綱ハンドルに接続されたロック手段によって上記垂れ蓋を閉じるために、解放可能にロックされる、ということが説明される。
【００２５】
〔図面の簡単な説明〕
図１ないし図４は、安全な誘導パラシュート装置を用いてキャノピーを開けるための連続的なステップを示す図である。
【００２６】
図５は、柔らかい誘導パラシュートが膨張したときの開けるステップを示す図であり、この実施形態では、展開バッグが、ハーネスコンテナの上にも取り出されている。
【００２７】
図６および図７は、展開バッグが用いられる最良の形態についての詳細を示す図であり、図７は、２つの拘束部の間の取り付けを示す、図６の拡大詳細である。
【００２８】
図８および図９は、跳躍手段の外観を示す図であり、図８は、可膨張性誘導パラシュートのないものであり、図９は、そのトップハウジング内に折りたたまれた可膨張性誘導パラシュートを有するものである。
【００２９】
図１０は、図１に示されるような、軸に沿って圧縮または折りたたまれた跳躍手段を示す図である。
【００３０】
図１１および図１２は、展開バッグの代わりにキャノピースリーブを用いる実施形態についての詳細であり、図１２は、２つの拘束部の間の取り付けを示す、図１１の拡大詳細である。
【００３１】
図１３ないし図１５は、中間的な展開バッグもキャノピースリーブも用いずに直接接続される他の実施形態についての詳細であり、図１４は、２つの拘束部の間の取り付けを示す、図１３の拡大詳細であり、図１５もまた、柔らかい誘導パラシュートと拘束部との間の取り付けを示す、図１３の拡大詳細である。
【００３２】
図１６は、一実施形態に係る上記誘導パラシュート装置を備えたハーネスコンテナを示す図である。
【００３３】
図１７は、上記ハーネスコンテナ内の折りたたまれた誘導パラシュート装置の代替の配置を示す図である。
【００３４】
図１８は、図１７の代替の配置を用いた、安全な誘導パラシュート装置の代替の実施形態を示す図である。
【００３５】
〔発明の詳細な実施形態〕
図１ないし７は、ハーネスコンテナ５からパラシュートキャノピーを展開するためのパラシュートキャノピー３に接続された誘導パラシュート装置１の開口部を示す。この場合には、展開バッグ１７（ときには、パラシュート開放バッグ、抽出装置コンテナ、Ｄバッグと呼ばれる）が用いられる。
【００３６】
ハーネスコンテナ５は、その開閉のための垂れ蓋７（しばしば、リグコンテナ垂れ蓋と呼ばれる）を有する。これは、パラシュート降下者１０により彼の背中にて保持するのに適している。図５を参照されたい。
【００３７】
誘導パラシュート装置１は、
パラシュートキャノピー３の展開を助けるのに適した可膨張性誘導パラシュート９（柔らかい誘導パラシュートとも呼ばれる）と、
上記コンテナが開いたときに上記ハーネスコンテナ５から上記可膨張性誘導パラシュート９を押し出すのに適した跳躍手段１１とを備えている。
【００３８】
パラシュートキャノピー３と可膨張性誘導パラシュート９との両方とも、折りたたむことができ、折りたたまれた状態で、ハーネスコンテナ５内へ配置されるのに適している。
【００３９】
最良の形態では、跳躍手段１１は、誘導パラシュート９とパラシュートキャノピー３との間で、上記可膨張性誘導パラシュート９から離れて配置されている。
【００４０】
パラシュート降下者が図１６、図１７の番号５７のハンドルなどの開き綱ハンドルを引くと、あるいは、メインまたは予備のキャノピーコンテナを開くために（この分野ではＡＡＤとして知られる）自動活性化装置を用いると、誘導パラシュート装置１は、ハーネスコンテナ５からパラシュートキャノピー３を取り出す機能を有する。
【００４１】
それゆえ、拘束手段１３は、柔らかい誘導パラシュート９とパラシュートキャノピー３とを接続し、それらの間の努力を伝えるのに用いられる。
【００４２】
好ましくは、拘束手段１３は、パラシュートキャノピー３に、取り外し可能なように接続され、跳躍手段１１を通る。拘束手段１３は、特には、１片または複数片のナイロンの帯ひもやストラップとすることができる。
【００４３】
図８、図９などに示すように、跳躍手段１１は、圧力をかけられるのとかけられないのとに適した、曲げることができるバネ１１０と、その柔軟性鞘の中に上記バネ１１０が配置されて取り付けられている柔軟性鞘１５とを備えている。
【００４４】
圧力をかけられた後に圧力をかけられなくなったときに、バネ１１は、鞘１５から離れたところで可膨張性誘導パラシュート９を推進するのに適している。
【００４５】
したがって、鞘１５は、バネ１１０によって、バネ１１０とともに変形する。鞘１５は、柔らかいことが好都合であり、好ましくは、網スリーブである。これは、拘束手段１３がバネ１１０と干渉するのを防ぐ。
【００４６】
図１ないし図７に示すように、可膨張性誘導パラシュート９とパラシュートキャノピー３との間の、拘束手段１３による接続は、展開バッグ１７を介し、間接的である。図１１、図１２でも接続は、キャノピースリーブ１９を介し、間接的である。一方、図１３、図１４では接続は直接的である。
【００４７】
他にも間接的な接続は存在しうる。
【００４８】
図では、拘束手段１３は、バネ１１０と柔軟性鞘１５との両方を通る第１拘束部１３０を有する。
【００４９】
このような解決策は、誘導パラシュート装置１が展開したときに、拘束手段１３が窒息する危険を制限し、拘束部によって、可膨張性誘導パラシュート９と跳躍手段１１とを接続する実施形態を提供する。
【００５０】
図８、図９に示す好ましい実施形態では、第１拘束部１３０は、第１端部１３１と第２端部１３３とを有する。さらに、好ましくは、第１拘束部１３０は、第１端部と第２端部との両方に、そこで第２拘束部１４０と第３拘束部１５０とを接続するための、ループ１３５、１３７を有する。第２拘束部１４０は、柔らかい誘導パラシュート９に接続され、第３拘束部１５０は、パラシュートキャノピー３に接続されている。
【００５１】
ループ１３５、１３７での接続は、ヒバリ頭の結び目(lark's head knots)によって行える（拘束部１３７、１５０については図７、図１２、図１４参照）。図６、図９、図１１、図１３に示すように、好ましくは、第１端部でのループ１３５はハウジング２１内に配置され、第２端部でのループ１３７は柔軟性鞘１５の外に配置される。
【００５２】
接続に適して接続しやすくするために、拘束手段接続は、好ましくは、取り外し可能とする。
【００５３】
可膨張性誘導パラシュート９内の空気の吸い込み量を確保するために、拘束部１４０は、好ましくは、０．８ｍないし２．５ｍに含まれる長さである（図４では、付属物１３５と９３との間の距離Ｌ１）。好ましくは、この長さＬ１は、１．２０ｍより長く、さらに好ましくは１．５ｍより長い。操作上は、この長さは、軸方向に、跳躍手段１１の長さＬ２（図４）の関数として適合される。これは、拘束部１５０の長さが典型的にあらかじめ決められているからである。好ましくは、全体的な長さＬ３（Ｌ１＋Ｌ２＋拘束部１３７、１５０の足し合わせた長さ）は、１．５ｍないし３．５ｍの間に含まれ、好ましくは、２．００ｍないし３．００ｍの間に含まれる。典型的には、下降気流によって下方へ誘導パラシュート装置１が偏らせられるのを防ぐために、上記各長さは、可膨張性誘導パラシュート９が十分安定した気流の中でコンテナからできるだけ遠くへ推進されて排出されるようにするという観点から適合させる。図３に示すように、可膨張性誘導パラシュート９は、十分に推進されているので、このときには、危険下降領域１００を出ている。したがって、推進される柔らかいすなわち可膨張性誘導パラシュートは、このとき、適切な相対的な風領域に曝されている。
【００５４】
第３拘束部１５０のパラシュートキャノピー３への接続は、裁縫による接続部を含むことができる。参照番号は１５５である（図７、図１１、図１３参照）。第２拘束部１４０の可膨張性誘導パラシュート９への接続部（参照番号９３０）は、図１５に詳細が示されている。この接続は、図７、図１０でも同じとすることができる。
【００５５】
図１３、図１５をともに考慮すると、柔らかい誘導パラシュート９は、キャノピー９０を規定する上部と基部９１を規定する下部とを有する。キャノピー９０は半球状とすることができる。基部９１は、線を含むことができ、特に、ナイロン（商標）から成り、キャノピー９０に取り付けられる。基部９１は、柔らかい誘導パラシュート９と拘束手段、ここでは第２拘束部１４０との間の接続のための取り付け手段９３を有する。取り付け手段９３は、第２拘束部１４０の端部に設けられたループを接続することによってそのテープループ９３０に第２拘束部１４０が取り付け可能な、テープループ９３０を有することができる。
【００５６】
図６では、展開バッグ１７が開いているのが示されている。その閉じ垂れ蓋１７０は下に垂れている。第３拘束部１５０は、閉じ垂れ蓋１７０の反対側で、展開バッグ１７を通じて設けられたグロメット１７１を通る。同様に、図１１では、キャノピースリーブ１９が開いているのが示されている。その閉じ垂れ蓋１９０は下に垂れている。第３拘束部１５０は、閉じ垂れ蓋１９０の反対側で、キャノピースリーブを通じて設けられた開口部１９１を通る。
【００５７】
接続部１５５の下には、パラシュートキャノピー３が広がっている。
【００５８】
選択された実施形態によれば、パラシュートキャノピー３を有する、キャノピースリーブ１９や展開バッグ１７は、ハーネスコンテナ５内に、そこに確保されている空間（しばしば、専用リグと称される）に、詰め込まれ、あるいは取り付けられるのに適している。
【００５９】
特に図８ないし図１０に戻り、特記すべきこととして、柔軟性鞘１５は、好ましくは、そのハウジングの中に可膨張性誘導パラシュート９が折りたたみ可能なハウジングであって、可膨張性誘導パラシュートと共にハーネスコンテナ５に詰め込まれるようになっている、柔軟なハウジング２１を有する（図１０参照）。
【００６０】
したがって、バネ１１０から離れた状態で、可膨張性誘導パラシュート９を、好ましくは第２拘束部１４０と共に、折り曲げることができ、たとえ鞘１５やバネ１１０が変形しても、可膨張性誘導パラシュート９や第２拘束部１４０とバネ１１０との間で干渉する危険がない（図１、図１０参照）。
【００６１】
柔軟性鞘１５は、円筒形状のものが適している。円錐や円錐台のハウジングも適している。ハウジング２１としては、強化ナイロン（商標）網のものが好ましい。
【００６２】
図示したように、バネ１１０は、方向２３に沿って圧縮・拡張に適した圧縮バネが薦められる。図示したように、方向２３は、円筒形状の柔軟性鞘１５の軸方向である。ハウジング２１は、柔軟、すなわち変形可能であり、方向２３に沿ったバネの端部１１１で圧縮バネ１１０内に配置されている。
【００６３】
図１、図８、図９と、図２、図１０とを比較すると、明らかに、バネ１１０は、好ましくは、圧力がかかった状態で曲げることができ、この圧力がかかった状態においては、柔軟性鞘内で、好ましくはその端部で、上記バネが、（気流上で）外向きに開口した空間２５を確保してある。空間２５は、その後そのハウジングの内部で可膨張性誘導パラシュート９が折りたたまれるようなハウジング２１を受けるのに適している（図８ないし図１０参照）。
【００６４】
特に、効率と信頼性を改善するために、ハウジング２１は、方向２３に沿った鞘１５の端に配置されて、該ハウジングの大きなほうの頂上端部で自由な開口部２１０を有する。これは、跳躍手段１１によって推進されたときに柔らかい誘導パラシュート９を拡張する自然の展開の機会を提供するためである。跳躍手段１１が、気流中で上向きに自然と推進された後に下降したときに、気流は、（軽い）柔らかい誘導パラシュート９を、下方に折りたたまれた第２拘束部１４０と共に、ハウジング２１の外方へ自然に押す傾向がある。
【００６５】
好ましくは、図１０に示すように、第２拘束部１４０と共に、ハウジング２１と柔らかい誘導パラシュート９との各体積は、圧力がかけられた状態のバネ１１０、平らになった鞘１５（図３参照）、また、折りたたまれた柔らかい誘導パラシュート９と上記第２拘束部１４０の両方が、ハウジング２１内に完全に含まれるような体積となっている。そして、ハウジング２１はその後、鞘１５の末端面２５０から、方向２３を横切って自由な開口部２１０を通って飛び出ることなく、圧縮バネ１１０の最新の変わり目（端）内に収納される。図８および図９を一緒に参照されたい。
【００６６】
さらに、一端での支持をバネ１１０に対し提供するために、方向２３に沿って反対向きの戻り止めを設ける目的で、バネ１１０が固定されるベースプレート２７が設けられる。このベースプレートは、堅く、また、冠板とすることができる。
【００６７】
したがって、全体として、柔軟性鞘１５が以下のようであることが薦められる。すなわち、柔軟性鞘１５が、
変形可能であり、所定方向２３に沿ってバネ１１０によって変形し、
上記所定方向に沿って、第１端部と第２端部と（それぞれ１５１、１５３）を有し、
また、上記柔軟性鞘１５が、
上記第１端部に設けられ、バネ１１０が固定されるベースプレート２７と、
上記第２端部に設けられ、上記柔軟性鞘内で（好ましくはバネ１１０の端以内で）伸びて、その中で可膨張性誘導パラシュート９が折りたたみ可能な、ハウジングとを有することが薦められる。
【００６８】
上記誘導パラシュート装置１は、特に、図１６に示すように詰め込まれることができる。
【００６９】
パラシュートキャノピー３などの展開されるパラシュートや、他のメインまたは予備のパラシュートは、まず、折りたたまれて、ハーネスコンテナ５に確保してある適切な体積に詰め込まれている。
【００７０】
図１６は、ハーネスコンテナ５内に直接詰め込まれたパラシュートキャノピー３を示している。しかしながら、もし有益であれば、まず折りたたまれて、上記展開バッグ１７やキャノピースリーブ９に詰め込まれるようにすることもできる。
【００７１】
パラシュートキャノピー３の上に、折りたたまれた（取り付けられた）状態の誘導パラシュート装置１も、ハーネスコンテナ５内に詰め込まれる。柔らかい可膨張性誘導パラシュート９と跳躍手段１１とは、方向２３に沿って平らにされる。
【００７２】
その後、曲げることができるバネ１１０が軸方向（方向２３）に圧縮され、柔軟性鞘１５が平らにされ、折りたたまれた柔らかい誘導パラシュート９を包含し、拘束手段、ここでは第２拘束部１４０、が、ハウジング２１内に収納される。言い換えれば、図１０の軸方向に折りたたまれた状態の誘導パラシュート装置１は、ループ１３７によって、キャノピー３に取り付けられた拘束部１５０自身に取り付けられる。ベースプレート２７は下方に配置され、パラシュートキャノピー３に面し、一方、開口部２３０は頂上にあり、ハーネスコンテナ５の上方に向いた開口部５０に面する。ハーネスコンテナ５の開口部５０を開閉するための垂れ蓋７は、誘導パラシュート装置１（特に折りたたまれた柔らかい誘導パラシュート９）の上で閉じられ、ロックループ５３により保持される。
【００７３】
ロックループ５３は、垂れ蓋のグロメットを通り、パラシュートキャノピー３を展開するためにロック手段５５によって引かれることを目的として、パラシュート降下者からアクセス可能なハーネスコンテナ５の外方に配置された開き綱ハンドル５７に接続された、錠前、開き綱、ピンなどのロック手段５５に取り付けられている。本実施形態では、ケーブル５９が開き綱ハンドル５７をロック手段５５に接続している。
【００７４】
垂れ蓋７は、閉じられて圧力をかけられた状態で跳躍手段１１を維持し、柔軟性鞘１５は、図１に示すように、平らにされる。
【００７５】
図１６と図１７の違いは、ロックループ（ここでは参照番号５３ａ）の載置の仕方と、誘導パラシュート装置１とパラシュートキャノピー３との折りたたみ方（またはこれらを上記展開バッグ１７やキャノピースリーブ１９と共に詰め込む仕方）とにある。
【００７６】
図１７のこの実施形態では、ロックループ５３ａは、その底５３０ａでハーネスコンテナ５の底５ａに取り付けられている。そして、ロックループ５３ａは、パラシュートキャノピー３を通り、さらに、その上方で、折りたたまれた誘導パラシュート装置１を通っている。
【００７７】
そして、ロックループは、垂れ蓋７のグロメットを通る。
【００７８】
図１６を参照して上述されたのと同じ手段が、垂れ蓋をロックするのに用いることができる。ロック手段５５は、開き綱ハンドル５７に接続されている。
【００７９】
ループ５３ａを切るのに適し、自動活性化装置の要素である安全トリガ６１によって操作される、花火ナイフ６０などの、花火または電気花火のシステムをさらに用いることもできる。
【００８０】
図１７および図１８は、誘導パラシュート装置１を通るロックループ５３ａを引き出すための解決策を示している。
【００８１】
図示したように、ロックループ５３ａは、底５３０ａから出て来て、第１拘束部１３０から離れたところで、跳躍手段１１を通る。
【００８２】
図１８では、第１拘束部１３０は、方向２３における中心に配置され、一端でハウジング２１を通り、他端で、相対的に堅いベースプレート２７を通って設けられるグロメット２７０を自由に通る。
【００８３】
それぞれハウジング２１と相対的に堅いベースプレート２７とを通るように設けられたグロメット２１１、２７１を通るロックループ５３ａは、中心から少しずれている。
【００８４】
ロックループ５３ａは、その後、跳躍手段１１の外へ出て、柔らかい誘導パラシュート９を通って延びる。ロックループ５３ａは、グロメット９３０を通ることができ、また、その後、キャノピー９０を通る（グロメットなどの）経路９００を通ることができる。ロックループ５３ａは、さらに上方では、ハーネスコンテナの垂れ蓋７を通る。
【００８５】
このような解決策（図１８）では、グロメット（空気開口部に存在しうる、図１５の９３１）を、（この実施形態では、そこに第２拘束部１４０を取り付けるために確保されている）いわゆるテープループ９３０の近くに配置することができる。これは、このグロメットを通らせることによってループ５３ａを案内することが目的である。
【００８６】
図１６および、図１７、図１８の両実施形態では、パラシュートキャノピーの操作は、図１ないし図４を連続的にみたものに従い、以下の通りである。
【００８７】
操作者（パラシュート降下者）は、開き綱ハンドル５７を引く。ロック手段５５は、ロックループ５３を解除する。垂れ蓋７が開くことができる。典型的には、開口部５０が、その後、パラシュート降下者の背中の上側で、上を向く。
【００８８】
ベースプレート２７に支持されて、跳躍手段１１が上方へ、開口部５０を通って拡張し、そして、カタパルトとして、気流中の可膨張性誘導パラシュート９を推進する（図２）。
【００８９】
跳躍手段１１の力（強度）と第２拘束部１４０の長さＬとは、パラシュート降下者１０の真上に位置する、起こりうる低気圧領域３１の外側へ可膨張性誘導パラシュート９を推進するように適合させる。図３および図５を参照されたい。
【００９０】
したがって、反作用と重力とによってパラシュート降下者１０が下降する（図５）一方で、跳躍手段１１はハーネスコンテナ５から上方へ引き出されて風を捕らえ、パラシュートキャノピー３がそれに追随する。
【図面の簡単な説明】
【００９１】
【図１】安全な誘導パラシュート装置を用いてキャノピーを開けるための連続的なステップを示す図である。
【図２】安全な誘導パラシュート装置を用いてキャノピーを開けるための連続的なステップを示す図である。
【図３】安全な誘導パラシュート装置を用いてキャノピーを開けるための連続的なステップを示す図である。
【図４】安全な誘導パラシュート装置を用いてキャノピーを開けるための連続的なステップを示す図である。
【図５】柔らかい誘導パラシュートが膨張したときの開けるステップを示す図である。
【図６】展開バッグが用いられる最良の形態についての詳細を示す図である。
【図７】２つの拘束部の間の取り付けを示す、図６の拡大詳細図である。
【図８】可膨張性誘導パラシュートのない跳躍手段の外観を示す図である。
【図９】そのトップハウジング内に折りたたまれた可膨張性誘導パラシュートを有する跳躍手段の外観を示す図である。
【図１０】図１に示されるような、軸に沿って圧縮または折りたたまれた跳躍手段を示す図である。
【図１１】展開バッグの代わりにキャノピースリーブを用いる実施形態についての詳細を示す図である。
【図１２】２つの拘束部の間の取り付けを示す、図１１の拡大詳細図である。
【図１３】中間的な展開バッグもキャノピースリーブも用いずに直接接続される他の実施形態についての詳細を示す図である。
【図１４】２つの拘束部の間の取り付けを示す、図１３の拡大詳細図である。
【図１５】柔らかい誘導パラシュートと拘束部との間の取り付けを示す、図１３の拡大詳細図である。
【図１６】一実施形態に係る上記誘導パラシュート装置を備えたハーネスコンテナを示す図である。
【図１７】上記ハーネスコンテナ内の折りたたまれた誘導パラシュート装置の代替の配置を示す図である。
【図１８】図１７の代替の配置を用いた、安全な誘導パラシュート装置の代替の実施形態を示す図である。
【図１】
2012025383.tif 000003
【図２】
2012025383.tif 000004
【図３】
2012025383.tif 000005
【図４】
2012025383.tif 000006
【図５】
2012025383.tif 000007
【図６】
2012025383.tif 000008
【図７】
2012025383.tif 000009
【図８】
2012025383.tif 000010
【図９】
2012025383.tif 000011
【図１０】
2012025383.tif 000012
【図１１】
2012025383.tif 000013
【図１２】
2012025383.tif 000014
【図１３】
2012025383.tif 000015
【図１４】
2012025383.tif 000016
【図１５】
2012025383.tif 000017
【図１６】
2012025383.tif 000018
【図１７】
2012025383.tif 000019
【図１８】
2012025383.tif 000020
【外国語明細書】
2012025383000001.pdf